(57)【特許請求の範囲】
【請求項１】
ケース（２）と、時計（１）を手首に装着するためのバンド（３）とを有する、移動通信システムに使用する無線電話時計（１）であって、
前記バンド（３）の第１のストランド（３１）と連結され、前記移動通信システムへアクセスするためのＳＩＭカード（加入者識別モジュール）１０を取り外し自在に受け入れるケーシング（４，８，１０４）と、
前記時計ケース（２）内に配置され、前記ＳＩＭカード（１０）に記憶されたデータへアクセスする電子モジュール（５）と、
バンド（３）の前記第１のストランド（３１）に組み込まれた前記電子モジュール（５）と前記ＳＩＭカード（１０）との間の電気接続手段（６）と、
を含むことを特徴とする無線電話時計。
【請求項２】
前記ケーシング（４，８，１０４）が、さらに、時計（１）をつけたときに手首の実質上平らな部分に位置決めされるようにバンド（３）の前記第１のストランド（３１）と連結されたことを特徴とする請求項１に記載の無線電話時計（１）。
【請求項３】
前記ケーシング（４，８，１０４）が、
前記ＳＩＭカード（１０）を収容することができる本体（４１，８１，１４１）と、
前記ケーシング（４，８，１０４）が確実に閉じるようにする可動要素（４２，８２，１４２）と、
前記本体（４１，８１，１４１）内に収容され、ＳＩＭカード（１０）の端子（１４）と接触する接触ストリップ（４４）を含むプリント回路（４２，１４３）と、
前記プリント回路（４３，１４３）と、前記本体（４１，８１，１４１）を貫く前記電気接続手段（６）との間の接続を確実にするコネクタ（４５）と、
を含むことを特徴とする請求項１または２に記載の無線電話時計（１）。
【請求項４】
前記ケーシング（４）が、さらに、前記ケーシング（４）の封止を確実にするために前記本体（４１）内に配置されたチャネル（４７）に配置された封止ガスケット（４６）を含むことを特徴とする請求項３に記載の無線電話時計。
【請求項５】
前記バンド（３）の締付けを確実にする装置（７，９）が、さらに、前記ケーシング（４，８）と連結されたことを特徴とする請求項１から４のいずれか一項に記載の無線電話時計（１）。
【請求項６】
バンド（３）の締付けを確実にする前記装置（７，９）が、また、前記ケーシング（４，８，１０４）と協力して、前記ケーシング（４，８，１０４）が不注意に開けられるのを防ぐことを特徴とする請求項５に記載の無線電話時計（１）。
【請求項７】
バンド（３）の締付けを確実にする前記装置（７）が、バックル（７１）と、前記ケーシング（４）にヒンジ接続され、ＳＩＭカード（１０）がケーシング（４）に差し込まれたときに前記バックル（７１）が前記ケーシング（４）に圧力をかけて前記ＳＩＭカード（１０）を前記ケーシング（４）に保持するように配置された舌状部材（７２）とを含むことを特徴とする請求項６に記載の無線電話時計（１）。
【請求項８】
バンド（３）の締付けを確実にする前記装置（９）が、前記ケーシング（８）の各端部に配置された第１と第２のループ（９１と９１′）と、前記ケーシング（８）にヒンジ接続された舌状部材（９２）とを含み、この舌状部材（９２）は、前記ＳＩＭカード（１０）がケーシング（８）に差し込まれたときに舌状部材（９２）が前記ケーシング（８）に圧力をかけて前記ＳＩＭカード（１０）を前記ケーシング（８）内に保持することを特徴とする請求項６に記載の無線電話時計（１）。
【請求項９】
前記電気接続手段（６）が、柔軟な誘電体基板（６３）上にフォトリソグラフィによって形成された導電体経路（６１）を含むことを特徴とする請求項１から８のいずれか一項に記載の無線電話時計（１）。
【請求項１０】
電源（１２０）が、前記ケーシング（１０４）内に配置されたことを特徴とする請求項１から９のいずれか一項に記載の無線電話時計（１）。
【請求項１１】
前記ケーシング（１０４）に収容され、ＳＩＭカード（１０）の端子（１４）と前記電気接続手段（６）の間の電気接続を確実にするプリント回路（１４３）が、前記電源（１２０）との接続をも確実にすることを特徴とする請求項１０に記載の無線電話時計（１）。
【発明の詳細な説明】
【０００１】
【発明の属する技術分野】
本発明は、ユーザの手首に装着するように意図された無線電話時計に関する。より正確には、本発明は、たとえばＧＳＭ（汎ヨーロッパディジタル移動通信システム）ネットワークなどの移動通信システムに使用されるように意図された無線電話時計に関し、この時計は、前記移動通信システムへのアクセスを可能にするＳＩＭ（Subscriber Identity Module：加入者識別モジュール）カードを取り外し可能に受け入れることができる。
【０００２】
【従来の技術】
たとえばＧＳＭネットワークなどの移動通信システムにおいて使用されるように意図されたセルラ電話などの通信装置は、一般に、通信装置に物理的に接続されたスマートカードの使用を必要とする。そのようなスマートカードは、通信システムのオペレータによるユーザの識別と、この通信システムの中心にある通信装置の互換性および交換性との両方を確実なものにするように意図される。
【０００３】
そのようなスマートカードにより、ユーザは、適切なネットワークの提供者またはオペレータを介して移動通信システムにアクセスすることができる。したがって、スマートカードは、移動通信システムへのアクセス手順を決めるデータを含み、さらに個人識別番号や電話番号リストなど、ユーザに関する補足的データの記憶できる。
【０００４】
そのようなスマートカードの寸法と物理的特徴は、国際規格、特にＩＳＯ／ＩＥＣ７８１０、７８１６／１および７８１６／２の規格によって定義される。したがって、このタイプのスマートカードは、プリント回路と電子チップが配置されたプラスチック・カードの形をとる。基本的に、移動通信装置用のスマートカードの標準形式は２つある。第１の形式は、クレジットカード（８５．６０ｘ５３．９８ｘ０．８０ｍｍ）のものと類似している。第２の形式は、約２５．００ｘ１５．００ｘ０．８０ｍｍと小さい寸法を有し、その１つの例を図１に示す。これを後で再び参照する。さらに、このようなカードの形式は、一般にＳＩＭカードと呼ばれる。そのようなＳＩＭカードは、現在、移動通信装置に使用されている。
【０００５】
これと同時に、電話分野における最近の技術開発により、通信装置の寸法を大幅に小さくすることが可能になり、それにより通信装置を時計などの小さなサイズの可搬装置に一体化できるようになった。以下の説明で無線電話時計と呼ぶそのような装置は、最初、コードレスまたは「マイクロセルラ」電話、すなわち基地局を必要とし、ＣＴ−１、ＣＴ−２、ＤＥＣＴなどの規格の通信プロトコルを使用する小レンジ電話として動作するように開発された。このようなコードレスまたは「マイクロセルラ」電話は、ＳＩＭカードを必要としない。
【０００６】
しかしながら、セルラ型の無線電話時計すなわち広域通信システムにおいて使用できる無線電話時計を作成するためには、時計は、必ずＳＩＭカードを含まなければならない。
【０００７】
このＳＩＭカードは、任意のユーザが簡単に取り出しまたは交換することがでるように構成しなければならない。したがって、ユーザが簡単にカードにアクセスできるように移動通信装置内にカードを配置することが重要である。
【０００８】
セルラ電話などの移動電話装置では、そのようなＳＩＭカードは、一般に、ケース内部に、たとえばユーザが簡単に取り外すことができる再充電可能な電池を含むモジュールの状態で配置される。
【０００９】
逆に、無線電話時計の場合には、時計ケース内部にＳＩＭカードを配置することは好ましくない。実際に、一般に、専門家だけが保守または制限された修理を行うことができるようにケース内部へのアクセスを許可することが好ましい。しかしながら、ＳＩＭカードのアクセスと交換性をできるだけ簡単にすることが求められる。
【００１０】
【発明が解決しようとする課題】
したがって、本発明の１つの目的は、移動通信システムにおいて使用され、ユーザが迅速かつ簡単に取り出しまたは交換できるようにアクセスと交換性が容易なＳＩＭカードを受け入れることができるように意図された無線電話時計を提案することである。
【００１１】
【課題を解決するための手段】
したがって、本発明は、移動通信システムにおいて使用される無線電話時計に関し、この時計は、特に、ケースと、前記時計を手首に装着することを可能にするバンドとを含み、この時計は、特に、
前記バンドの第１のストランドと連結され、前記移動通信システムへアクセスするためのＳＩＭカード（加入者識別モジュール）を取り外し可能に受け入れることができるケーシングと、
前記時計ケース内に配置され、前記ＳＩＭカードに記憶されたデータへアクセスする電子モジュールと、
前記ＳＩＭカード１０と、バンド３の前記第１のストランド３１に組み込まれた前記電子モジュール５との間の電気接続手段６と、
を含むことを特徴とする。
【００１２】
したがって、本発明により推奨される解決策は、時計製造の専門家だけが行うことが望ましい作業を必要とし、アクセスが複雑な時計ケースへのＳＩＭカードの組み込みが回避される。したがって、ＳＩＭカードの取り外しと交換が容易になり、専門でないユーザが容易に達成することができる。
【００１３】
その結果、本発明による時計内のＳＩＭカードの交換または取外しは、時計のバンドにＳＩＭカードを配置することによって、時計ケースの機能、特にケースの封止を低下させない。時計バンドにＳＩＭカードを組み込むことにより、時計を破損させる可能性のある液体の侵入を防ぐことができる。
【００１４】
本発明による無線電話時計のケーシングを第１のバンド・ストランドと連結して、ケーシングの位置決めがユーザを不利にしないように手首の実質的に平らな部分に位置決めすることができる。
【００１５】
本発明による無線電話時計のケーシングは、さらに、必要に応じて防水に作成することができる。
【００１６】
本発明の実施態様によれば、ケーシングを、さらに、バンドの締付けを確実にする装置と有利に連結することができる。また、このケーシングを、バンドと協力するようにバンドの締付けを確実にする装置と連結し、特にＳＩＭカードを含むケーシングが不注意に開くのを防ぐことができると好都合である。
【００１７】
本発明のもう１つの実施態様によれば、無線電話時計用の電源を、さらに、ＳＩＭカードを受け取ることができるケーシング内に配置することができると好都合である。
【００１８】
本発明のその他の特徴と利点は、制限でない例としてのみ示した添付図面を参照して行う以下の説明を読むことにより明らかになろう。
【００１９】
【発明の実施の形態】
最初に図１を参照し、本発明による時計に使用されるＳＩＭカード１０の主な特徴を簡単に説明する。
【００２０】
このＳＩＭカード１０は、約１５ｍｍｘ２５ｍｍの寸法を有する平らで本質的に長方形の素子の形をとる。このＳＩＭカード１０は、特に、向きを決めるための斜めの縁１２を含む。
【００２１】
複数の端子１４、具体的には６個の端子が、ＳＩＭカード１０の１つの面に形成されており、移動通信システムへのアクセス手順を決める特定のデータを含む電子チップ（図示せず）に内部で接続されている。図１の例では、ＳＩＭカード１０が、その端子１４が上向きになるように向きが決められていることに注意されたい。
【００２２】
図２ａと図２ｂは、それぞれ、図１と関連して説明したタイプのＳＩＭカードを受け入れることができる本発明による無線電話の側面図と正面図を示す。
【００２３】
この時計１は、一方で、ケース２と、時計１のケース２の端にそれぞれ取り付けられた第１と第２のストランド３１と３２を含むバンド３を含む。本発明により、時計は、さらに、バンド３に連結され、ＳＩＭカード１０（図２ａと図２ｂに破線で示した）を受け入れることができるケーシング４を含む。
【００２４】
ケーシング４は、手首の実質的に平らな部分に位置決めされるようにバンド３と連結されると好都合である。図２ａと図２ｂに示したように、ケーシング４は、バンド３の第１のストランド３１の端に配置され、これにより、ユーザが時計１をつけたときに、ユーザの手首の裏側、すなわち時計１のケース２が載る方と反対側に位置決めされるように配置されている。
【００２５】
時計１のケース２内部には、さらに、ＳＩＭカード１０に記憶されたデータへのアクセスする電子モジュール５が配置される。この電子モジュール５は、特に、移動通信システムへのアクセスに関するデータを参照したり、電話番号や個人識別番号など補助的データを記憶したり、さらにはそれらを読み取ったりするのに利用される。
【００２６】
さらに、ＳＩＭカード１０とケース２内部に配置された電子モジュール５とを電気的に接続するために、本発明による時計１は、さらに、バンド３のストランド内、たとえば主に第１のバンド・ストランド３１に組み込まれた電気接続手段６を含む。この電気接続手段６は、図２ａと図２ｂに点線と破線で概略的に示される。
【００２７】
電気接続手段６は、たとえばフォトリソグラフィにより、柔軟な誘電体基板上に形成させた導電体経路の形で作成すると好都合である。代替として、電気接続手段６は、１組の別個導線の形で作成することができる。
【００２８】
この説明では、電気接続手段６を時計ケースに接続する方法は詳細に説明しない。ケースとバンド内に配置された導体との間の電気接続装置は、当業者には既知であることに注意されたい。そのような装置の１つの例は、欧州特許０  １８６  ８０４号に開示されている。したがって、当業者には、時計ケースと電気接続手段６の間の電気接続を適切に行う方法は分かるであろう。
【００２９】
無線電話時計１は、さらに、ユーザの手首のまわりのバンド３の締付けを確実にする装置７を含む。図２ａと図２ｂにおいて、この装置７は、たとえば舌状部材を備えバンド３の第２のストランド３２が通るバックルを含む留め金の形に作成されるが、これに制限されない。
【００３０】
既知のその他のバンド締付装置を使用できることは、当業者に容易に理解されよう。代替として、バンド締付装置７は、たとえば、第２のバンド・ストランド３２が通ることが可能なループの形に作成されてもよく、その場合、第２のバンド・ストランド３２は、それ自体の上に折り畳まれ、それによりストランド３２の第１と第２の接着部分が互いに協力してバンド３２の締付けを確実にする。
【００３１】
本発明の様々な実施形態により後で説明するような有利な方法において、バンド３の締付けを確実にする装置７をケーシング４と直接連結することができる。
【００３２】
さらに、ＳＩＭカード１０がケーシング４内に適切に保持されるように、締付装置７をケーシング４と協力するように連結することが望ましい。
【００３３】
次に、図３ないし図５により、本発明の実施形態をより詳細に説明する。
【００３４】
これらの図において、ケーシング４は、ＳＩＭカード１０を収容する本体４１と、ケーシング４を閉じる可動要素４２とを含む。ＳＩＭカード１０が本体４１に差し込まれたとき、本体４１と可動要素４２が協力して、ＳＩＭカード１０を適切に保持する。
【００３５】
この例において、可動要素４２はカバーであり、したがって本体４１に取り付けられたピン４０１によってその一端で回転できるように取り付けられる。本体４１への可動要素４２の固定は、従来のスナップ嵌めシステム４Ａによって確実にされるが、この形に制限されない。可動要素４２の本体４１への固定を確実にする他のシステムを容易に想起することができる。したがって、可動要素４２は、たとえば代替として、本体４１に作られた溝内を摺動するように配置された摺動要素の形で作成することができる。
【００３６】
本体４１は、特に取付けピン４０２を含む従来のタイプの取付けシステム４Ｂによって第１のバンド・ストランド３１に接続される。したがって、本体４１は、取付けシステム４Ｂの近くにくぼみ４３１を有し、その形状が、第１のバンド・ストランド３１の接続端の回転を実質的に制限する。これは、取付けシステム４Ｂの近くに第１のバンド・ストランド３１に組み込まれ、本体４１を貫く電気接続手段６があるため望ましい。実際には、電気接続手段６がせん断されるのを防ぐために、取付けシステム４Ｂの近くの第１のバンド・ストランド３１の回転を制限することが望ましい。
【００３７】
本体４１は、本質的に、ＳＩＭカード１０を受け入れるように意図された第１のハウジング４１１を含む。このハウジングは、ＳＩＭカード１０と類似の寸法を有する。第１のハウジング４１１は、詳細には、ＳＩＭカード１０の斜めの縁１２と協力するようにされた斜めの縁４１２を含み、その縁４１２により、この第１のハウジング４１１内に入れられたカードは、その端子１４が本体４１内に形成された第２のハウジング４１４を向くようになる。
【００３８】
本体４１は、さらに貫通孔４１５を含み、その一端が、第１のバンド・ストランド３１の取付けシステム４Ｂの近くに開口し、他端が第２のハウジング４１４に開口し、それにより第１のバンド・ストランド３１に組み込まれた電気接続手段６が通ることができる。
【００３９】
この例では、電気接続手段６は、柔軟な誘電体基板６３上に導電体材料を付着させることによって形成された６つの導電体経路６１を含む。これらの導電体経路６１は、本体４１の第２のハウジング４１４内に配置されたプリント回路４３にコネクタ４５によって接続される。このプリント回路４３は、ＳＩＭカード１０の端子１４と協力するように意図された６個の接触ストリップ４４を備えている。
【００４０】
この実施形態に制限されないことに注意されたい。代替として、誘電体基板６３を広げて第２のハウジング４１４の底部に配置し、その広げた拡張部の導電体経路にそれぞれ接続された接触ゾーンをフォトリソグラフィによって形成し、たとえばプリント回路４３の代わりの第２のハウジング４１４内に配置された中間要素に形成された接触ストリップによって接触ゾーンとＳＩＭカード１０の端子１４との間の電気接触を確実にすることができる。
【００４１】
好ましくはケーシング４の封止を確実にするために、本体４１と可動要素４２の間に封止ガスケット４６を配置する。この封止ガスケット４６は、本体４１の第１のハウジング４１１を取り囲むチャネル４７内に配置される。
【００４２】
さらに、図３ないし図５の例に示したように、第１のバンド・ストランド３１の端部と本体４１に配置されたくぼみ４３１との間に設けたコンタクトによって、ケーシング４の貫通孔４１５の周りの封止を確実にすることができる。代替として、接続手段６を取り付けた後で貫通孔４１５内に配置するシリコン接着剤を使用することによって、封止を確実にすることもできる。
【００４３】
図３ないし図５において、バンド３の締付けを確実にする装置は、バックル７１と、第２のバンド・ストランド３２に配置された孔と協力する舌状部材７２を含む留め金７からなる。この例において、留め金７は、さらに、ピン４０３によってケーシング４の本体４１にヒンジ接続されると好都合である。
【００４４】
この例において、留め金７は、さらにケーシング４と連結され、それによりバックル７１が、第２のバンド・ストランド３２を介して可動要素４２に圧力をかけ、可動要素４２が不注意に開かないようにすると好都合である。この実施形態において、留め金７のバックル７１は、バンド３の締付けを確実にするだけでなく、ＳＩＭカード１０がケーシング４内に適切に保持されるようにしている。
【００４５】
ＳＩＭカード１０をケーシング４に差し込みまたはそこから抜き取るために、バンド・ストランド３２を抜いた後、留め金７のバックル７１を、可動要素４２の動きを可能にする位置（図４に点線と破線で示した）まで容易に旋回することができる。
【００４６】
図６と図７は、本発明のもう１つ実施形態の詳細な図を示す。この実施形態は、ＳＩＭカード１０を収容することができる本体８１と、ケーシング８を確実に閉じるようにする可動要素８２とを含む。
【００４７】
可動要素８２は、この例では、ピン８０１によって一端が本体８１に回転可能に取り付けられたカバーからなる。この可動要素８２の固定は、前の実施形態において使用されたシステムと類似のスナップ嵌めシステム８Ａによって確実にされる。
【００４８】
本発明のこの実施形態によるバンド３の締付けを確実にする装置９は、ピン８０３によって本体８１にヒンジ接続され、可動要素８２をその長さ全体にわたって覆う舌状部材９２からなる。さらに、第２のバンド・ストランド３２が通ることができるように、ケーシング８の本体８１と一体化された第１と第２のループ９１と９１′が、ケーシング８の各端部に配置されることが好ましい。
【００４９】
この実施形態によれば、舌状部材９２が、時計を手首につけたときに可動要素８２に直接圧力をかけ、可動要素８２が不注意に開くのを防ぐように配置されていることに注意されたい。
【００５０】
この第２の実施形態により、ＳＩＭカード１０をケーシング８に差し込みまたはそこから引き抜くために、バンド・ストランド３２を取り外した後で、可動要素８２が動くことができる位置（図７に点線と破線で示した）まで舌状部材９２を容易に回転させることができる。
【００５１】
最後に、図８に概略的に示した本発明のもう１つの実施形態によれば、ＳＩＭカードを収容するケーシング内に、無線電話の電源（電池や再充電可能な蓄電池など）を配置することができることに注意されたい。
【００５２】
既に説明したように、ＳＩＭカードが、内部で電子チップに接続された６つの端子（図１の端子１４）を含み、それらの端子のうちの２つが、一般に、電子チップの電力供給を保証するために使用されることに注意されたい。これにより、無線電話時計用の電源を、ＳＩＭカードおよび電気接続手段と連結し、それにより本発明による無線電話のケーシングに組み込むことができると好都合である。
【００５３】
したがって、図８は、ケース２、バンド３、電子モジュール５、電気接続手段６、およびＳＩＭカード１０を受け入れることができるケーシング１０４を含む本発明による無線電話時計の代替実施形態を概略的に示す。このケーシング１０４は、前述の実施形態と同じように、本体１４１と、ケーシング１０４が確実に閉じるようにする可動要素１４２とを含む。この実施形態によれば、本体１４１は、さらに、無線電話時計の電源１２０を受け入れるように配置される。
【００５４】
したがって、この電源１２０は、本体１４１内に配置されたハウジングに配置される。図８に示したように、電源１２０は、ＳＩＭカード１０の端子１４と電気接続手段６との間の電気接続を確実にするプリント回路１４３と連結されることが好ましい。この実施形態によれば、プリント回路１４３は、同時に、電源１２０への接続を確実にする。
【００５５】
電源が一般に比較的大きい要素を構成するため、この実施形態は、無線電話時計のケースの空間要件と寸法の実質的な縮小を可能にする。さらに、ＳＩＭカードを収容するケーシングの移動により、ユーザの手首のまわりの無線電話時計のバランスを良くすることができる。
【図面の簡単な説明】
【図１】  本発明による無線電話時計に使用される標準的なＳＩＭカードを示す図である。
【図２】 （ａ）と（ｂ）はそれぞれ、特にケースと、バンドと、ＳＩＭカードを受け入れることができるケーシングと、ケース内に配置されＳＩＭカードに記憶されたデータへのアクセスを可能にする電子モジュールと、ＳＩＭカードと電子モジュール間の電気接続手段とを含む本発明による無線電話時計の側面図と正面図である。
【図３】  本発明の第１の実施形態の詳細図の平面図である。
【図４】  図３の線IIIｂに沿った断面図である。
の平面図、（ｂ）は、
【図５】  本発明の第１の実施形態の詳細図の平面図である。
【図６】  本発明のもう１つの実施形態の詳細図の平面図である。
【図７】  図６の線IVｂに沿った断面図である。
【図８】   ＳＩＭカードを受け取ることができるケーシング内にさらに電源を配置した本発明の実施形態を示す図である。
【符号の説明】
１  時計、  ２  ケース、  ３  バンド、  ４  ケーシング、  ５  電子モジュール、  ６ 電気接続手段、  ７  バンド締付装置、  ８  ケーシング、  ９ 装置、  １０  カード、  １２  縁、  １４  端子、  １５  バンド・ストランド、  ３１  ストランド、  ３２  ストランド、  ４０  ピン、  ４１  本体、  ４２  可動要素、  ４３  プリント回路、  ４４  接触ストリップ、  ４５コネクタ、  ４６  封止ガスケット、  ４７  チャネル、  ６１  導電体経路、  ６３  誘電体基板、  ７１  バックル、  ７２  舌状部材。
【図１】
0004368995.tif 000002
【図２】
0004368995.tif 000003
【図３】
0004368995.tif 000004
【図４】
0004368995.tif 000005
【図５】
0004368995.tif 000006
【図６】
0004368995.tif 000007
【図７】
0004368995.tif 000008
【図８】
0004368995.tif 000009